(57)【要約】【課題】  複数の支柱と設置地面との間の設置角度が所定の角度となるように統一的に規制することができるとともに、設置地面に設置したときの安定感を増やすことができる支柱支持具を提供する。【解決手段】上端部１００が建物壁面９の開口部８より上方の位置に当接するように建物壁面９に対して斜めに立て掛けられる複数の支柱１０，１０と、これらの支柱１０，１０の間に展張支持されて開口部８から建物内に差し込む日光を遮光する幕布１１とを備える日除け装置１の支柱１０に取り付けられる支柱支持具３であって、支柱支持具３の本体が、不定形重量物が充填可能な袋状に形成され、且つ不定形重量物が充填された状態で略錐台状をなすように形成され、日除け装置１の支柱１０を支持する支柱受け部３１１が、本体の側周面の傾斜に沿って形成されている。【選択図】図１
0003184002.tif 000002
【実用新案登録請求の範囲】
【請求項１】
上端部が建物壁面に設けられた窓や戸などの開口部より上方の位置に当接するように前記建物壁面に対して斜めに立て掛けられる複数の支柱と該支柱により展張支持されて前記開口部から建物内に差し込む日光を遮光する幕布とを備える日除け装置の支柱に取り付けられて、該日除け装置の支柱を支える支柱支持具であって、
水、砂及び小石などの不定形重量物を充填可能な袋状をなし、前記不定形重量物が充填された状態で略錐台状をなすように形成されている本体と、
略錐台状をなした本体の側周面の傾斜に沿って前記日除け装置の支柱を支持する支柱受け部と
を備えることを特徴とする支柱支持具。
【請求項２】
前記本体の上面に、前記日除け装置の幕布から伸び出る張り紐を着脱可能に繋留する紐繋留部を備えることを特徴とする請求項１に記載の支柱支持具。
【考案の詳細な説明】
【技術分野】
【０００１】
本考案は、建物壁面に設けられた窓や戸などの開口部から建物内に差し込む日光を遮光する日除け装置の支柱を支える支柱支持具に関する。
【背景技術】
【０００２】
従来、建物壁面に設けられた窓や戸などの開口部から建物内に差し込む日光を遮光する伝統的な日除け装置として、多数の葦の茎を並べて糸で編み連ねた「葦簀」が利用されている。
【０００３】
また、近年、伝統的な葦簀に代わり、雨風に対する耐久性と、通気性と、遮光性と、水洗いできる取扱容易性とを兼ね備えている「洋風たてす」が広く利用されている。洋風たてすは、幕布が複数の支柱の間に平面的に展張支持される構造を備える（例えば、特許文献１）。
【０００４】
ところで、従来の日除け装置（洋風たてす）は、特許文献１に記載のとおり、複数の支柱の上端部が建物壁面の開口部より上方の位置に当接するように建物壁面に斜めに立て掛けられ、立て掛けられた支柱の間に展張支持された幕布が開口部から建物内に差し込む日光を遮光するように用いられる。
【０００５】
そのため、従来の日除け装置は、利用者の身体の接触や雨風などにより、支柱が設置地面の上を滑動して倒れ、支柱の直下にいる利用者の頭部を打撃するなど、危険性を有する。
【０００６】
そこで、従来の日除け装置は、支柱の下端部付近に適宜の重量物が取り付けられ、設置地面に固定される。従来の日除け装置の支える支柱支持具としては、コンクリート製ブロックや岩などの定形重量物からなる器具のほか、袋状本体に水や砂などの不定形重量物を充填するようにしてある器具が提案されている（例えば、特許文献２及び特許文献３）。
【先行技術文献】
【特許文献】
【０００７】
【特許文献１】特開２００７−３２７３２２号公報
【特許文献２】特許第４２０５５７３号公報
【特許文献３】実用新案登録第３１８１３０３号公報
【考案の概要】
【考案が解決しようとする課題】
【０００８】
例えば、特許文献２及び特許文献３に記載された支柱支持具は、袋状本体に水や砂などの不定形重量物が充填されることにより、不使用の際には、袋状本体から不定形重量物が除去され、本体が折り畳まれて小さく纏められるようになっており、大変有用である。
【０００９】
しかしながら、特許文献２及び特許文献３に記載された支柱支持具を含む従来の支柱支持具にあっては、建物壁面に対して斜めに立て掛けられる支柱の設置角度を規制する手段を備えていないため、例えば、特許文献１に記載された日除け装置が備える複数の支柱を支持する場合には、各支柱の設置角度を統一的に規制することができない。
【００１０】
その結果、特許文献１に記載された日除け装置は、各支柱の設置角度にばらつきが生じ、支柱の間に展張支持されている幕布にねじれが生じ、日除け装置としての機能及び意匠が阻害される事態に陥ることとなる。
【００１１】
本考案は、かかる事情を鑑みてなされたものであり、上端部が建物壁面の開口部より上方の位置に当接するように建物壁面に対して斜めに立て掛けられる複数の支柱と、これらの支柱の間に展張支持されて開口部から建物内に差し込む日光を遮光する幕布とを備える日除け装置の支柱に取り付けられる支柱支持具であって、支柱支持具の本体が、不定形重量物が充填可能な袋状に形成され、且つ不定形重量物が充填された状態で略錐台状をなすように形成され、日除け装置の支柱を支持する支柱受け部が、本体の側周面の傾斜に沿って形成されていることにより、複数の支柱と設置地面との間の設置角度が所定の角度となるように統一的に規制することができるとともに、設置地面に設置したときの安定感を増やすことができる支柱支持具を提供することを目的とする。
【課題を解決するための手段】
【００１２】
本願請求項１に係る支柱支持具は、上端部が建物壁面に設けられた窓や戸などの開口部より上方の位置に当接するように前記建物壁面に対して斜めに立て掛けられる複数の支柱と該支柱により展張支持されて前記開口部から建物内に差し込む日光を遮光する幕布とを備える日除け装置の支柱に取り付けられて、該日除け装置の支柱を支える支柱支持具であって、水、砂及び小石などの不定形重量物を充填可能な袋状をなし、前記不定形重量物が充填された状態で略錐台状をなすように形成されている本体と、略錐台状をなした本体の側周面の傾斜に沿って前記日除け装置の支柱を支持する支柱受け部とを備えることを特徴とする。
【００１３】
即ち、本考案にあっては、支柱支持具の本体が、水、砂及び小石などの不定形重量物を充填可能な袋状となるように形成されていることにより、不使用の際、本体内部から不定形重量物が取り除かれて本体が折り畳まれ、小さく纏められることによって運搬や収納が容易となる。また、本考案にあっては、袋状本体に充填すべき不定形重量物の量が調整されることにより、日除け装置にかかる荷重が調整可能となる。また、本考案にあっては、袋状本体へ充填すべき重量物を不定形なものとすることにより、日除け装置の支柱や利用者の足などが袋状本体に接触した際の衝撃を、定形性を有するコンクリート製ブロックや岩などからなる従来の支柱支持具に接触した場合に比べて和らいだものにすることができる。
【００１４】
また、本考案にあっては、支柱支持具の本体が、不定形重量物が充填された状態で略錘台状をなすように形成されていることにより、上面より下面の面積が大きくなるため、例えば、上面と下面とが同じ面積となる従来のコンクリート製ブロックなどの支柱支持具に比して、設置地面に設置したときの安定感が増す。また、本考案にあっては、支柱を支えるための支柱受け部が略錘台状をなした本体の側周面の傾斜に沿って取り付けられていることにより、支柱と設置地面との間の設置角度を所定の角度となるように規制し、複数の支柱を設置する場合であっても、全ての支柱の設置角度を統一的に規制することができる。
【００１５】
更にまた、本願請求項２に係る支柱支持具は、前記本体の上面に、前記日除け装置の幕布から伸び出る張り紐を着脱可能に繋留する紐繋留部を備えることを特徴とする。
【００１６】
即ち、本考案にあっては、本体の上面に紐繋留部を備えることにより、支柱の間に展張支持された幕布から伸び出る張り紐を着脱可能に繋ぎ留めることができる。
【考案の効果】
【００１７】
本考案にあっては、不使用の際に本体が小さく纏められて運搬や収納を容易にすることができるとともに、複数の支柱と設置地面との間の設置角度を所定の角度となるように統一的に規制することができる。また、本考案にあっては、設置地面に設置したときの安定感を増やすことができる。
【図面の簡単な説明】
【００１８】
【図１】本考案に係る支柱支持具が建物壁面に対して斜めに立て掛けられた日除け装置の支柱を支える一例を示す斜視図である。
【図２】図１に示す支柱支持具の全体構造を示す斜視図である。
【図３】図１に示す支柱支持具の全体構造を示す斜視図であって、上面に設けられた充填口が開蓋する状態を示す斜視図である。
【図４】図１に示す支柱支持具の全体構造を示す斜視図であって、側周面に設けられた支柱受け部が日除け装置の支柱を支持する状態を示す斜視図である。
【図５】図１に示す支柱支持具の全体構造を示す斜視図であって、上面に設けられた紐繋留部が日除け装置の幕布から垂下する引き紐を繋留する状態を示す斜視図である。
【図６】図１に示す支柱支持具が建物壁面から垂下する日除け装置に荷重をかける状態を示す斜視図である。
【考案を実施するための形態】
【００１９】
（日除け装置１の構造について）
本考案に係る支柱支持具について、本実施の形態を示す図面に基づいて以下説明する。図中において、１は、日除け装置である。
【００２０】
日除け装置１は、図１に示すように、複数の支柱１０，１０と、これらの支柱１０，１０の間で展張支持された幕布１１とを備える。
【００２１】
複数の支柱１０，１０は、アルミニウムやステンレス鋼などの金属により形成された直管状のパイプ部材であり、軸方向が上下方向となる状態で、建物壁面９に対して斜めに立て掛けられる。複数の支柱１０，１０は、斜めに立て掛けられた状態で、上端部１００，１００が、建物壁面９に設けられた開口部８より上方の位置に当接する。
【００２２】
また、複数の支柱１０，１０は、下端部１０１，１０１が設置地面Ｌに接地する。このとき、複数の支柱１０，１０は、下端部１０１，１０１が設置地面Ｌとの間に設置角度を生じさせる。
【００２３】
また、複数の支柱１０，１０は、上端部１００，１００の間に架け渡された横杆１２を備える。複数の支柱１０，１０は、横杆１２にて連結されることにより、建物壁面９に立て掛けられる際、互いに略平行な位置となるように保持される。
【００２４】
また、複数の支柱１０，１０は、後述するように、下端部１０１，１０１が本考案に係る支柱支持具３に支持されることにより、下端部１０１，１０１と設置地面Ｌに生じる設置角度が所定の角度となるように規制され、全ての支柱１０，１０の設置角度が統一的に規制される。
【００２５】
幕布１１は、雨風に対する耐久性と、通気性と、直射日光や紫外線に対する遮光性と、水洗いすることができるなどの取扱容易性とを兼ね備えたシート素材により形成されている。このような素材としては、例えば、ポリエチレンが該当する。幕布１１は、例えば、ポリエチレンの編糸により編成された布地からなり、上述する耐久性、通気性、遮光性及び取扱容易性を兼ね備える。
【００２６】
また、幕布１１は、正面視略四角形状をなすシート部材であり、シートの上端部１１０と、下端隅部１１１と、左端部１１４と、右端部１１５とを備える。幕布１１は、上端部１１０、左端部１１４及び右端部１１５が、直射日光の差込側から、複数の支柱１０，１０及び横杆１２に覆い被さるように取り付けられ、複数箇所から伸び出たベルト部材（図示せず。以下同じ。）が複数の支柱１０，１０及び横杆１２に巻き付けられることにより固定される。
【００２７】
また、幕布１１は、下端隅部１１１，１１１に穿設された鳩目孔１１２，１１２を備える。幕布１１は、鳩目孔１１２，１１２に、張り紐１１３，１１３が通され、張り紐１１３，１１３が下端隅部１１１，１１１から伸び出るように垂下する。
【００２８】
鳩目孔１１２を形成する鳩目は、例えば、真鍮などの金属により形成されている。その結果、鳩目孔１１２は、雨風に対する鳩目の耐久性と、鳩目の錆び付きによる張り紐１１３の切断を回避する安全性とを有する。
【００２９】
また、幕布１１は、後述するように、張り紐１１３，１１３が本考案に係る支柱支持具３に繋留されることにより、シート全体に支柱支持具３の荷重がかかり、ピンと張った状態で支柱１０，１０の間で展張支持される。
【００３０】
日除け装置１は、上述する構成を備えることにより、複数の支柱１０，１０の上端部１００，１００が建物壁面９に設けられた開口部８より上方の位置に当接し、複数の支柱１０，１０が建物壁面９に対して斜めに立て掛けられた状態で、複数の支柱１０，１０の間に展張支持された幕布１１が開口部８から建物内に差し込む日光を遮光する。
【００３１】
（支柱支持具３の構造について）
図中において、３は、本考案に係る支柱支持具である。支柱支持具３は、図１に示すように、日除け装置１が備える複数の支柱１０，１０の下端部１０１，１０１を受け止めて支持する。
【００３２】
支柱支持具３は、図２乃至５に示すように、本体３０と、本体３０の側周面３１と、本体３０の隅角部３２と、本体３０の上面３３と、本体３０の下面（図示せず。以下同じ。）とを備える。
【００３３】
本体３０は、例えば、ポリエチレンなどの合成樹脂により形成された袋状の部材である。また、本体３０は、袋内部に水、砂及び小石などの不定形重量物が充填可能であり、不定形重量物が充填された状態で略錐台状をなすように形成されている（図２乃至５参照）。
【００３４】
また、本体３０は、略錐台状をなした状態で、平面視略多角形をなす上面３３を備える。本体３０は、上面３３の中央部分に形成された紐繋留部３３０と、紐繋留部３３０から外れた位置に形成された充填口３３２とを備える。
【００３５】
紐繋留部３３０は、上述する幕布１１から伸び出る張り紐１１３を繋ぎ留めるための部品であり、繋留孔３３１を備える。繋留孔３３１は、図５に示すように、張り紐１１３がを繋ぎ留めることができる。
【００３６】
充填口３３２は、上述する不定形重量物を本体３０の内部に充填するための開口部であり、開口を閉塞するための蓋体３３３を備える。蓋体３３３は、充填口３３２に開閉自在に取り付けられ、図３に示すように、不定形重量物が充填される際に、充填口３３２から外される。
【００３７】
また、本体３０は、不定形重量物が充填されることによって略錐台状をなした状態で、丸みを帯びたアール形状をなす隅角部３２を備える。
【００３８】
また、本体３０は、略錐台状をなした状態で、傾斜を有する側周面３１を備える。また、本体３０は、隅角部３２付近の側周面３１に形成された凹溝３１０と、側周面３１に形成された支柱受け部３１１とを備える。
【００３９】
側周面３１は、本体３０の下面が設置地面Ｌに接地する状態で、設置地面Ｌとの間に設置角度を生じさせる。
【００４０】
凹溝３１０は、隅角部３２付近の側周面３１の傾斜に沿って刻設されている。凹溝３１０は、本体３０の内側に向かって凹みをなしている。
【００４１】
支柱受け部３１１は、略筒状の部品であり、支柱１０を上下方向に且つ側周面３１の傾斜に沿うように筒内に受け入れることができる寸法、方向及び角度となるように側周面３１上に形成されている。
【００４２】
このとき、支柱１０は、支柱受け部３１１の筒内を通過して下方に突き抜け、下端部１０１が設置地面Ｌに接地する。また、支柱１０は、支柱支持具３の側周面３１の傾斜により、設置地面Ｌとの間で生じる設置角度が所定の角度となるように規制され、上端部１００が建物壁面９に当接する。
【００４３】
また、複数の支柱１０，１０は、それぞれ、支柱支持具３の側周面３１の傾斜により、設置地面Ｌとの間で生じる設置角度が所定の角度となるように規制され、全ての支柱１０，１０の設置角度が所定の角度となるように統一的に規制される。その結果、複数の支柱１０，１０の間に展張支持される幕布１１は、捻れることなく、日除け装置１は、その機能及び意匠が阻害されることがない。
【００４４】
なお、本実施の形態は、開口部８が、建物壁面９に設けられた戸である一例を説明する（図１及び図６参照）。しかしながら、本考案は、これに限定されるものではなく、開口部８が、窓や通気孔などであってもよい。
【００４５】
また、本実施の形態は、幕布１１が、正面視略四角形状をなすシート部材である一例を説明する。しかしながら、本考案は，これに限定されるものではなく、幕布１１が、正面視略円形状をなすシート部材や正面視略多角形状をなすシート部材であってもよい。
【００４６】
また、本実施の形態は、支柱支持具３が、図１に示すように、建物壁面９に対して斜めに立て掛けられる複数の支柱１０，１０を備える日除け装置１の支柱１０，１０を支持する一例を説明する。しかしながら、本考案に係る支柱支持具３は、上述する使用方法のみならず、支柱１０を備えていない幕布１１からなる日除け装置１を支持することも可能である。
【００４７】
この場合、日除け装置１は、図６に示すように、幕布１１の上端部１１０に穿設された鳩目孔１１６，１１６，１１６，１１６のいずれかに、建物壁面９から伸び出るフック７が引っ掛けられることにより、建物壁面９に固定され、垂下する状態となる。また、日除け装置１は、幕布１１の下端部１１７から垂下する張り紐１１３，１１３が、各支柱支持具３の紐繋留部３３０に繋ぎ留められる。その結果、日除け装置１は、幕布１１全体に荷重がかかり、平面的に拡げられた状態を保持する。
【符号の説明】
【００４８】
１  日除け装置
１０  支柱
１００  上端部
１０１  下端部
１１  幕布
１１０  上端部
１１１  下端隅部
１１２  鳩目孔
１１３  張り紐
１１４  左端部
１１５  右端部
１１６  鳩目孔
１１７  下端部
１２  横杆
３  支柱支持具
３０  本体
３１  側周面
３１０  凹溝
３１１  支柱受け部
３２  隅角部
３３  上面
３３０  紐繋留部
３３１  繋留孔
３３２  充填口
３３３  蓋体
７  フック
８  開口部
９  建物壁面
【図１】
0003184002.tif 000003
【図２】
0003184002.tif 000004
【図３】
0003184002.tif 000005
【図４】
0003184002.tif 000006
【図５】
0003184002.tif 000007
【図６】
0003184002.tif 000008